(57)【要約】【課題】複数の育苗ポットを育苗トレーの開口上方から押さえるために用いる育苗ポット押さえバンド、該育苗ポット押さえバンドに対応する育苗トレー、及び、該育苗ポット押さえバンドを有する押さえバンド付き育苗トレーを提供する。【解決手段】柔軟性と平面維持性とを有する素材で帯状に形成されている育苗ポット押さえバンド１０は、育苗トレー２０の開口を架け渡すことができる長さ、及び、隣接する各育苗ポット３０の開口部の一部を覆うことができる幅を有する押さえ部１１と、育苗トレー２０の一対のスリット２２の縁部に係合可能な一対の係止爪１３を有し、スリット２２に撓み変形して差し込み可能な、押さえ部１１の長手方向の両端に設けられた係止部１２とを備えている。各係止部１２を各スリット２２に差し込むことで、育苗ポット押さえバンド１０は、育苗ポット３０が収容されている育苗トレー２０に固定される。【選択図】図５
2012016287.tif 000002
【特許請求の範囲】
【請求項１】
開口を有する箱体であり前記開口上端を区画する外枠の端縁に前記開口を挟んで設けられた少なくとも一対のスリットを有する育苗トレーに、縦横に配列した状態で収容された複数の育苗ポットを前記育苗トレーの開口上方から押さえるために用いる、柔軟性と平面維持性とを有する素材で帯状に形成された育苗ポット押さえバンドであって、
前記育苗トレーの前記開口を横断または縦断して架け渡すことができる長さ、及び、隣接する各前記育苗ポットの開口部の一部を同時に覆うことができる幅を有する、長手方向に延びる帯状の押さえ部と、
前記スリットの縁部に係合可能な一対の係止爪を有し、前記スリットに撓み変形して差し込み可能である、前記押さえ部の長手方向の両端に設けられた係止部と、を備えていることを特徴とする育苗ポット押さえバンド。
【請求項２】
係止部と押さえ部との間に所定長の幅狭部を有し、前記幅狭部の幅はスリット長に対応させたものであって、前記押さえ部の幅は前記スリット長より大きいことを特徴とする請求項１に記載の育苗ポット押さえバンド。
【請求項３】
押さえ部の略端部から係止部の略中央部にかけて長手方向に切り込み形成されているフラップ部を備え、前記フラップ部は前記係止部側に位置する自由端及び前記押さえ部側に位置する固定端を有しており、
前記係止部を前記スリットに差し込むとき、前記フラップ部を前記スリットに挿通させずに前記自由端を引っ張ることで、係止部が撓み変形して前記スリットに差し込み可能であることを特徴とする請求項１または２に記載の育苗ポット押さえバンド。
【請求項４】
係止部はテーパー状に延びる先端部を有していることを特徴とする請求項１から３のいずれかに記載の育苗ポット押さえバンド。
【請求項５】
開口及び当該開口上端を区画する外枠を有する箱体であり、請求項１から４の育苗ポット押さえバンドの両端を前記外枠に接続可能であり、前記育苗ポット押さえバンドの各係止部を差し込み可能な少なくとも一対のスリットを備えている、複数の育苗ポットを縦横に配列した状態で収容可能な育苗トレーであって、
前記育苗ポット押さえバンドの押さえ部が、隣接する各前記育苗ポットの開口部の一部を覆って、開口上方から同時に押さえることができるように、一対の前記スリットが前記外枠の端縁に前記開口を挟んでそれぞれ設けられていることを特徴とする育苗トレー。
【請求項６】
開口及び当該開口上端を区画する外枠を有する箱体である押さえバンド付き育苗トレーであって、
縦横に配列した状態で収容されている複数の育苗ポットと、
前記外枠の端縁に前記開口を挟んでそれぞれ設けられている少なくとも一対のスリットと、
各係止部が一対の前記スリットに差し込まれ、押さえ部が、隣接する各前記育苗ポットの開口部の一部を覆って、開口上方から同時に押さえるように、前記育苗トレーの開口を横断または縦断して架け渡って前記外枠に固定されている請求項１から４の育苗ポット押さえバンドと、を備えていることを特徴とする押さえバンド付き育苗トレー。
【発明の詳細な説明】
【技術分野】
【０００１】
本発明は、育苗トレーに縦横に配列した状態で収容された複数の育苗ポットを育苗トレーの開口上方から押さえるために用いる育苗ポット押さえバンド、当該育苗ポット押さえバンドに対応する育苗トレー、及び、当該育苗ポット押さえバンドを有する押さえバンド付き育苗トレーに関する。
【背景技術】
【０００２】
通常、育苗ポットの出荷に伴う運搬においては、個々の育苗ポットが一個ずつ収容されるように仕切られた箱状の育苗トレー、又は、仕切りのない箱状の育苗トレーに、複数の育苗トレーが纏めて詰め込まれた状態で、個々の育苗ポットが転倒しないように育苗トレーは運搬される。
【０００３】
しかしながら、トラック等の車両による輸送時に生じる振動や、積み降ろし時の強い衝撃を受けて、育苗ポットが育苗トレーから飛び出してしまい、苗を傷つけてしまう問題がある。
【０００４】
これに対して、育苗ポットの飛び出しを防止するための手段が種々提案されている。例えば、特許文献１の育苗ポット用トレー構造（１。以下、特許文献１で用いられている符号を（）内に示す。）は、育苗ポット（４）を収容する上部が開口した、開口縁部（８，１０）を有する箱形のトレー（６）と、板状突起（１４）及び両端に係合部（１２）を有する覆い部材（１３）とを備えている。
【０００５】
幅方向に隣接する育苗ポット（４）間に覆い部材（１３）の板状突起（１４）を配置し、覆い部材（１３）の各係合部（１２）を開口縁部（８，１０）に係合させ、覆い部材（１３）をトレー（６）に取り付けることで、覆い部材（１３）が幅方向に隣接する育苗ポット（４）の上縁部の一部を覆って、育苗ポット（４）がトレー（６）から外に飛び出さないように押さえている（特許文献１の図１参照）。
【先行技術文献】
【特許文献】
【０００６】
【特許文献１】特開２００４−１２１０８９
【発明の概要】
【発明が解決しようとする課題】
【０００７】
しかしながら、特許文献１の育苗用トレー構造（１）では、開口縁部（８、１０）に係合部（１２）を引っ掛けるだけで覆い部材（１３）をトレー（６）に固定しているので、激しい振動や衝撃によって、覆い部材（１３）に対して幅方向の力や捻れ方向の力が加えられると、覆い部材（１３）が縁部（８、１０）上をスライドしたり、縁部（８、１０）から外れたりして、育苗ポットの押さえが不安定になるという問題がある。
【０００８】
さらに、育苗トレーに育苗ポット収容用の仕切りのある場合は、板状突起（１４）が育苗トレーの仕切りに干渉するので、仕切りがある育苗トレーに使用することができないという問題がある。
【０００９】
本発明は、上記問題を解決しようとするもので、育苗ポット収容用の仕切りを有する育苗トレーにも対応可能であり、強固に育苗トレーに固定され、育苗トレーに縦横に配列して収容された複数の育苗ポットを育苗トレーの開口上方から安定した状態で押さえることができる育苗ポット押さえバンド、当該育苗ポット押さえバンドに対応する育苗トレー、及び、当該育苗ポット押さえバンドを有する押さえバンド付き育苗トレーを提供することを目的とする。
【課題を解決するための手段】
【００１０】
請求項１に記載の育苗ポット押さえバンドは、開口を有する箱体であり前記開口上端を区画する外枠の端縁に前記開口を挟んで設けられた少なくとも一対のスリットを有する育苗トレーに、縦横に配列した状態で収容された複数の育苗ポットを前記育苗トレーの開口上方から押さえるために用いる、柔軟性と平面維持性とを有する素材で帯状に形成された育苗ポット押さえバンドであって、
前記育苗トレーの前記開口を横断または縦断して架け渡すことができる長さ、及び、隣接する各前記育苗ポットの開口部の一部を同時に覆うことができる幅を有する、長手方向に延びる帯状の押さえ部と、
前記スリットの縁部に係合可能な一対の係止爪を有し、前記スリットに撓み変形して差し込み可能である、前記押さえ部の長手方向の両端に設けられた係止部と、を備えていることを特徴とする。
【００１１】
請求項２に記載の育苗ポット押さえバンドは、請求項１の育苗ポット押さえバンドにおいて、係止部と押さえ部との間に所定長の幅狭部を有し、前記幅狭部の幅はスリット長に対応させたものであって、前記押さえ部の幅は前記スリット長より大きいことを特徴とする。
【００１２】
請求項３に記載の育苗ポット押さえバンドは、請求項１又は２の育苗ポット押さえバンドにおいて、押さえ部の略端部から係止部の略中央部にかけて長手方向に切り込み形成されているフラップ部を備え、前記フラップ部は前記係止部側に位置する自由端及び前記押さえ部側に位置する固定端を有しており、
前記係止部を前記スリットに差し込むとき、前記フラップ部を前記スリットに挿通させずに前記自由端を引っ張ることで、係止部が撓み変形して前記スリットに差し込み可能であることを特徴とする。
【００１３】
請求項４に記載の育苗ポット押さえバンドは、請求項１から３のいずれかの育苗ポット押さえバンドにおいて、係止部はテーパー状に延びる先端部を有していることを特徴とする。
【００１４】
請求項５に記載の育苗トレーは、開口及び当該開口上端を区画する外枠を有する箱体であり、請求項１から４の育苗ポット押さえバンドの両端を前記外枠に固定可能であり、前記育苗ポット押さえバンドの各係止部を差し込み可能な少なくとも一対のスリットを備えている、複数の育苗ポットを縦横に配列した状態で収容可能な育苗トレーであって、
前記育苗ポット押さえバンドの押さえ部が、隣接する各前記育苗ポットの開口部の一部を覆って、開口上方から同時に押さえることができるように、一対の前記スリットが前記外枠の端縁に前記開口を挟んでそれぞれ設けられていることを特徴とする。
【００１５】
請求項６に記載の押さえバンド付き育苗トレーは、開口及び当該開口上端を区画する外枠を有する箱体である押さえバンド付き育苗トレーであって、
縦横に配列した状態で収容されている複数の植栽された育苗ポットと、
前記外枠の端縁に前記開口を挟んでそれぞれ設けられている少なくとも一対のスリットと、
各係止部が一対の前記スリットに差し込まれ、押さえ部が、隣接する各前記育苗ポットの開口部の一部を覆って、開口上方から同時に押さえるように、前記育苗トレーの開口を横断または縦断して架け渡って前記外枠に固定されている請求項１から４の育苗ポット押さえバンドと、を備えていることを特徴とする。
【発明の効果】
【００１６】
請求項１に記載の育苗ポット押さえバンドによれば、育苗ポット押さえバンドは、柔軟性と平面維持性とを有する素材で帯状に形成されている。また、育苗トレーの開口を横断または縦断して架け渡すことができる長さ、及び、隣接する各育苗ポットの開口部の一部を同時に覆うことができる幅を有する長手方向に延びる帯状の押さえ部と、スリットの縁部に係合可能な一対の係止爪を有し、スリットに撓み変形して差し込み可能な係止部とを備えている。
【００１７】
該柔軟性により、各係止部を撓み変形させて育苗トレーの各スリットに差し込むことができる。さらに、該平面維持性により、変形した各係止部は元の形状に復元し、係止爪がスリット縁部に係合可能となり、育苗ポット押さえバンドに対して育苗トレー開口上方に力が加えられた場合、係止部はスリット縁部に係止される。
【００１８】
従って、育苗トレーから育苗ポット押さえバンドが容易に外れることなく、育苗トレーの開口を横断又は縦断して、複数の育苗ポットの開口部を押さえ、育苗トレーから育苗ポットが飛び出すことを防止することができる。
【００１９】
また、押さえ部は、その幅方向に隣接する２つの育苗ポットの開口部の一部を同時に覆うことができる幅を有しているので、一本の育苗ポット押さえバンドで、育苗トレーの縦又は横に隣接している２列分の育苗ポットを同時に押さえることができる。さらには、植栽された育苗ポットの開口部から外にこぼれ落ちる土などの植材の量を減少させることもできる。
【００２０】
請求項２に記載の育苗ポット押さえバンドによれば、幅狭部の幅をスリット長に対応させたものであり、押さえ部の幅がスリット長より大きいので、押さえ部と幅狭部の間に段差部を形成し、当該段差部とスリット縁部とが係合可能である。
【００２１】
即ち、育苗ポット押さえバンドを育苗トレーに取り付けるとき、一方の係止部をスリットに差し込んだ状態で、段差部がストッパーとしての役割を果たし、育苗ポット押さえバンドが下方にずり落ちることなく、一方の係止部が所定位置に保持されるので、一方の係止部の動きに干渉されることなく、他方の係止部をスリットに容易に差し込むことができる。従って、育苗トレーに育苗ポット押さえバンドを容易に取り付けることができる。
【００２２】
請求項３に記載の育苗ポット押さえバンドによれば、押さえ部にフラップ部を設け、スリットにフラップ部を挿通させずに係止部を差し込み、育苗トレーの開口外側に向けてフラップ部を引っ張ると、フラップ部として切り込まれた分、係止部全体が内側に向けて撓んで、係止爪を破損するおそれなく簡単且つ確実に係止部をスリットに挿通させることができる。
【００２３】
請求項４に記載の育苗ポット押さえバンドによれば、係止部はテーパー状に延びる先端部を有している。スリット長よりも当該先端部の幅は小さいので、先端部をスリットに容易に差し込んで引っ張ることができ、係止部を容易にスリットに差し込むことができる。
【００２４】
請求項５に記載の育苗トレーによれば、請求項１から４の育苗ポット押さえバンドを取り付けることができ、請求項１から４の効果を、育苗トレーとして発揮する。
【００２５】
請求項６に記載の押さえバンド付き育苗トレーによれば、請求項１から４の育苗ポット押さえバンド、及び、縦横に配列した状態で収容されている複数の育苗ポットを備え、請求項１から４の効果を、押さえバンド付き育苗トレーとして発揮する。
【図面の簡単な説明】
【００２６】
【図１】本発明の育苗ポット押さえバンドの一例を示す平面図。
【図２】図１の育苗ポット押さえバンドに対応する育苗トレーを示し、（ａ）は、その平面図、（ｂ）は、その側面図、（ｃ）は（ａ）のスリット部分の拡大図、（ｄ）は、（ｃ）のＡ−Ａ断面図。
【図３】図１の育苗ポット押さえバンドにおいて、係止部をスリットに挿通させる様子を示した部分図であって、（ａ）は係止部をスリット上に配置した状態の図、（ｂ）は係止部の一部がスリットに差し込まれている状態の図、（ｃ）はフラップ部が引っ張られ係止部が変形している状態の図、（ｄ）は係止部がスリットに差し込まれた状態の図。
【図４】図１の育苗ポット押さえバンドにおいて、係止部がスリットに差し込まれた状態の育苗トレーの要部拡大図であって、（ａ）はその側面図、（ｂ）は図３（ｄ）のＢ−Ｂ断面図。
【図５】図１の育苗ポット押さえバンドを備え、育苗ポットを縦横に配列して収容している押さえバンド付き育苗トレーを示し、（ａ）は育苗ポット押さえバンドを縦方向に架け渡した状態の斜視図、（ｂ）は育苗ポット押さえバンドを横方向に架け渡した状態の斜視図。
【図６】（ａ）は、図５の押さえバンド付き育苗トレーに表示板を取り付ける前の状態を示した斜視図、（ｂ）は、取り付けた後の状態を示した斜視図。
【図７】本発明の育苗トレーの他例を示すもので、（ａ）は、その平面図、（ｂ）は、その側面図、（ｃ）は（ａ）のスリット部分の要部拡大図、（ｄ）は、（ｃ）のＣ−Ｃ断面図。
【図８】図７の育苗トレーに育苗ポットを収容している押さえバンド付き育苗トレーを示し、（ａ）は育苗ポット押さえバンドを縦方向に架け渡した状態の斜視図、（ｂ）は育苗ポット押さえバンドを横方向に架け渡した状態の斜視図。
【図９】（ａ）及び（ｂ）は、育苗ポット押さえバンドの他例を示す平面図。
【発明を実施するための形態】
【００２７】
以下に、本発明の実施の形態について、図面を用いて説明する。
【実施形態１】
【００２８】
図１に示された育苗ポット押さえバンド１０は、開口を有する箱体であり開口上端を区画する外枠の端縁に開口を挟んで設けられた少なくとも一対のスリットを有する育苗トレーに、縦横に配列した状態で収容された複数の育苗ポットを育苗トレーの開口上方から押さえるために用いる育苗ポット押さえバンドであって、柔軟性および平面維持性のある素材で帯状に形成されている。
【００２９】
当該育苗ポット押さえバンド１０は、所定長さを有する帯状の押さえ部１１と、当該押さえ部１１の両端に形成されている幅狭部１４と、略Ｖ字形状に形成されている係止部１２とを備えている。
【００３０】
係止部１２は、後述する育苗トレー２０の外枠２１の端縁に形成されているスリット２２の縁部に係合可能な一対の係止爪１３を備えており、幅狭部１４から両幅方向にそれぞれ突出している。また、係止部１２は長手方向の先端に向かってテーパー状に延びる先端部１６を有している。
【００３１】
ここで、押さえ部１１の幅をＤ１、両係止爪１３間の幅をＤ２、幅狭部１４の幅をＤ３、そして、育苗トレー２０のスリット２２の長さをＬ（図２（ｃ）参照）として定める。
【００３２】
当該両係止爪間の幅Ｄ２は、育苗トレー２０のスリット長Ｌよりも大きく、押さえ部１１の幅Ｄ１より小さく設定されている。また、幅狭部１４の幅Ｄ３は、スリット長Ｌと対応している。幅Ｄ１は幅Ｄ３より大きいので、押さえ部１１はその長手方向の両端に段差部１４ａをそれぞれ有している。幅Ｄ１は隣接する２列の育苗ポットの開口部の一部を覆うことができる幅に設定されている。
【００３３】
そして、育苗ポット押さえバンド１０は、押さえ部１１の略端部から各係止部１２の略中央部にかけて長手方向に切り込み形成されているフラップ部１５を備えており、当該フラップ部１５は係止部１２側に自由端１５ａ、押さえ部１１側に固定端１５ｂを有するように形成されている。
【００３４】
なお、上述した育苗ポット押さえバンド１０には、可撓性プラスチックフィルム、樹脂フィルム、紙材等を用いることが出来る。また、一対の係止爪１３、幅狭部１４、及び、先端部１６は、一様な幅を有する帯状のフィルムに切抜き加工等することで形成されている。
【００３５】
図２（ａ）及び（ｂ）に示された育苗トレー２０は、開口を有する箱体であり、開口上端を区画する外枠２１と、外枠２１の内側を縦６列、横４列にそれぞれ育苗ポット３０を収容する個別収容部２３を形成するように区画する内枠２４を備えている。収容部２３は、底部２３ａと、当該底部２３ａの外周端部に立設する側部２３ｂとからなり、側部２３ｂの上端には内枠２４が固定されており、各収容部２３の開口は内枠２４によってそれぞれ区画されている。
【００３６】
また、外枠２１と内枠２４とが交差する部分における外枠２１の端縁には、育苗トレー２０の開口を挟んで、一対のスリット２２が形成されている。育苗トレー２０の外枠２１の縦方向を構成する縦枠２１aの端縁には、1つおきに隣接して位置する交差部分に、３対（合計６つ）のスリット２２がそれぞれ形成され、他方、外枠２１の横方向を構成する横枠２１ｂの端縁には、１つおきに隣接して位置する交差部分に、２対（合計４つ）のスリット２２がそれぞれ形成されている。
【００３７】
なお、収容部２３の縦横の列数、及び、スリット２２の数及び箇所は、この例に限定されるものではない。
【００３８】
図２（ｃ）に示すとおり、スリット２２は外枠２１の長手方向に伸びた溝形状に形成されており、スリット長Ｌを有する。スリット２２には、スリット内側にスリット幅方向に突起する小突部２２ａが設けられている。この例では、小突部２２ａは、スリット２２の外から内向きに溝長手方向長さを４等分する位置に３箇所、スリット２２の内から外向きに、３箇所の小突起２２ａの中間に位置するように２箇所で、合計５つ設けられている。各スリット２２は、外枠２１の上辺を貫通するものである（図２（ｄ）参照）。
【００３９】
なお、育苗トレー２０の素材としては、プラスチック、あるいは、生分解性プラスチックが好適である。また、育苗トレーを、パルプを成形したパルプモールドとしてもよい。
【００４０】
図３（ａ）から（ｄ）に、スリット２２に係止部１２を差し込むときの一連の状態を示す。
【００４１】
まず、スリット２２に係止部１２が入るように位置合わせを行い（図３（ａ）参照）、先端部１６をスリット２２に差し込む。ここで、先端部１６の幅はスリット２２の幅Ｌよりも小さく設定されているので、スリット２２に容易に差し込むことができる。
【００４２】
そして、フラップ部１５の自由端１５ａをスリット２２に挿通させずに、一対の係止爪１３が開口上方からスリット２２の縁部と当接するまで、係止部１２の一部をスリット２２に差し込む（図３（ｂ）参照）。
【００４３】
次に、フラップ部１５の自由端１５ａを育苗トレー２０の開口外側方向に引っ張ると、係止部１２全体がその内側に向けて撓む（図３（ｃ）参照）。この状態で、先端部１６を開口下方に引っ張ると、係止部１２がスリット２２に容易に挿通されて、係止部１２がその平面維持性により復元することで、一対の係止爪１３がスリット２２の縁部に開口下方から係合可能に、育苗ポット抑えバンド１０が育苗トレー２０に接続される（図３（ｄ）参照）。
【００４４】
ここで、フラップ部１５に対応する切り込みの分、係止部１２が無理なく内側に向けて撓むので、スリット２２の縁部に当接する一対の係止爪１３を破損するおそれなく簡単且つ確実に係止部１２をスリット２２に挿通させることができる。
【００４５】
図４（ａ）は、育苗ポット押さえバンド１０と育苗トレー２０との接続部の拡大図である。幅Ｄ３とスリット長Ｌとは対応している。そして、育苗ポット押さえバンド１０が育苗トレー２０の開口上方に移動したとき、一対の係止爪１３とスリット２２の縁部とが係合し、他方、育苗ポット押さえバンド１０が開口下方に移動したとき、段差部１４ａとスリット２１の縁部とが係合する。即ち、育苗ポット押さえバンド１０は上下方向に幅狭部１４の長さ分だけ自由に動くことができるように育苗トレー２０に接続されている。
【００４６】
従って、育苗ポット押さえバンド１０を育苗トレー２０に取り付けるとき、一方の係止部１２をスリット２２に差し込んだ状態で、段差部１４ａがストッパーとしての役割を果たし、育苗ポット押さえバンド１０が開口下方にずり落ちることがなく、一方の係止部１２は所定位置に保持される。
【００４７】
即ち、一方の係止部１２の動きに干渉されることなく、他方の係止部１２をスリット２２に容易に差し込むことができる。従って、育苗トレー２０に育苗ポット押さえバンド１０を容易に取り付けることができる。
【００４８】
さらに、幅狭部１４の長さ分の遊びを設けているので、育苗トレーの外枠の上辺の厚さが異なる場合においても、余裕をもって、育苗ポット押さえバンド１０を育苗トレーに取り付けることが可能である。
【００４９】
図４（ｂ）が示すとおり、育苗ポット押さえバンド１０の係止部１２は、育苗トレー２０のスリット２２に設けられた小突部２２ａにより、その差し込み方向とは直交する方向に波形状に屈曲されている。
【００５０】
これにより、たとえ、育苗ポット押さえバンド１０が薄いものであっても、この薄さに対して広めのスリット２２の中で、係止部１２がスリット２２の幅方向にがたつくことがない。従って、育苗ポット押さえバンド１０が薄くても、安定した状態で育苗ポット３０を押さえて、育苗トレー２０内に収容することができる。
【００５１】
図５は、育苗ポット押さえバンド１０に押さえられた植栽住み育苗ポット３０を収容している押さえバンド付き育苗トレー１００の外観斜視図である。
【００５２】
図５（ａ）において、育苗トレー２０の外枠２１の横方向を構成する横枠２１ｂの端縁に、２つの育苗ポット押さえバンド１０が固定されている。育苗ポット押さえバンド１０の押さえ部１１が、縦枠２１ａに平行して育苗トレー２０の開口上方を架け渡って、横方向に隣接する２列の育苗ポット３０の開口部の一部を同時に覆っている。即ち、１つの育苗ポット押さえバンド１０が縦２列分（合計１２個）の育苗ポット３０を同時に押さえつけ、育苗トレー２０から飛び出すことを防止している。
【００５３】
ここでは、図示した所定位置で、２つの育苗ポット押さえバンド１０を育苗トレー２０に固定することで、育苗トレー２０に収容されている全ての育苗ポット３０を、育苗ポット押さえバンド１０によって押さえることができ、育苗トレー２０から育苗ポット３０が飛び出すことを防止している。
【００５４】
図５（ｂ）において、育苗トレー２０の外枠２１の縦方向を構成する縦枠２１aの端縁に、３つの育苗ポット押さえバンド１０が固定されている。同様に、育苗トレー２０に収容されている全ての育苗ポット３０を、育苗ポット押さえバンド１０によって押さえることができ、育苗トレー２０から育苗ポット３０が飛び出すことを防止している。
【００５５】
このように、縦横自由に育苗ポット押さえバンド１０を固定する位置を選択して、育苗ポット押さえバンド１０を育苗トレー２０に固定することができる。なお、当然ながら、育苗トレー２０の縦枠２１ａ及び横枠２１ｂの両方の端縁に、育苗ポット押さえバンド１０を固定することもでき、押さえ部１１が縦方向及び横方向に交差して育苗ポット３０の開口部を押さえて、より安定して育苗ポット３０を育苗トレー２０に保持することも可能である。
【００５６】
図６（ａ）及び（ｂ）に示すとおり、草花の品種名等を表示する表示部４１及び係止部１２と類似の形状を有する差し込み片４２を備えている表示板４０を、押さえバンド付き育苗トレー１００に取り付けることができる。即ち、育苗ポット押さえバンド１０の係止部１２とともに表示板４０の下端に形成されている差し込み片４２をスリット２２に差し込むことができ、育苗ポット押さえバンド１０と表示板４０を取り付けるのにスリット２２を兼用することができる。
【００５７】
ここで、図６（ｂ）に示すとおり、押さえバンド付き育苗トレー１００のスリット２２に差し込み片４２を差し込むとき、フラップ１５を手前にめくり上げるようにすることで、差し込み片４２をフラップ１５に干渉させずにスリット２２に差し込むことができる。
【００５８】
また、図４（ｂ）と同様に、表示板４０の差し込み片４２は、育苗トレー２０のスリット２２に設けられた小突部２２ａにより、その差し込み方向とは直交する方向に波形状に屈曲され、表示板４０が薄い場合でも、差し込み片４２がスリット２２の幅方向にがたつかず、表示板４０の立姿勢がきちんと保持された状態に保たれる。
【００５９】
従って、育苗ポット押さえバンド１０を押さえバンド付き育苗トレー１００から外して育苗ポット３０を個別に販売する場合や、育苗ポット３０を収容している押さえバンド付き育苗トレー１００をそのまま製品として販売する場合などにおいて、草花の品種名等を表示部４１に有効に表示することができる。
【００６０】
なお、図６では、スリット２２に係止片１２と差し込み片４２が同時に差し込まれているが、係止片１２が差し込まれていないスリット２２に表示板４０を取り付けることも可能であり、使用者が適宜選択することができる。
【実施形態２】
【００６１】
図７は、本発明の育苗トレーの他例を示すもので、（ａ）は、その平面図、（ｂ）は、その側面図、（ｃ）は（ａ）の表示板受け溝部分の拡大図、（ｄ）は、（ｃ）のＣ−Ｃ断面図である。
【００６２】
この育苗トレー２０Ａは、図２の育苗トレー２０と比べて、個別の収容部２３がない点が異なっている。図７（ａ）及び（ｂ）に示すとおり、育苗トレー２０Ａは、外枠２１Ａにより開口が区画されている箱体であり、矩形状の底面２３ａＡと、その４辺の縁から上方に延在する側壁枠２３ｂＡと、側壁枠２３ｂＡの上端に連結されている外枠２１Ａから構成されている。即ち、外枠２１Ａの内側を区画する内枠がなく、育苗ポット３０は、この外枠２１Ａの内側に区画されることなく縦横に配列されて収容される。
【００６３】
また、図７（ｃ）に示すとおり、スリット２２Ａは、図２（ｃ）に示した小突起２２ａを有していないが、スリット２２Ａに育苗ポット押さえバンド１０の係止部１２を差し込むことで、育苗ポット押さえバンド１０と育苗トレー２０Ａとを強固に固定することができる。
【００６４】
図８にバンド付き育苗トレー１００Ａを示す。育苗トレー２０Ａに縦横に配列された育苗ポット３０の開口部の一部を、隣接する列に渡って、育苗ポット押さえバンド１０の押さえ部１１が覆っている。即ち、図６に示したバンド付き育苗トレー１００と同様に、全ての育苗ポット３０を育苗ポット押さえバンド１０で押さえ、育苗トレー２０Ａから育苗ポット３０が飛び出すことを防止している。
【００６５】
従って、本発明の育苗ポット押さえバンドと押さえバンド付き育苗トレーとは、育苗トレーの内側部分の構成、具体的には、区画の有無、個別収容部の有無には拘束されないものである。
【００６６】
これら育苗トレー２０Ａ及びバンド付き育苗トレー１００Ａによれば、実施形態１と同様の効果が、育苗ポット押さえバンド、育苗トレー、バンド付き育苗トレーとして発揮される。即ち、実施形態２の構成とすることは本発明の課題を解決することを妨げない。
【実施形態３】
【００６７】
図９（ａ）に変形例として育苗ポット押さえバンド１０Ａを示す。図１の育苗ポット押さえバンド１０と比べて、育苗ポット押さえバンド１０Ａは、係止部１２Ａにおいて、幅狭部１４、フラップ部１５及びテーパー状の先端部１６を有していない。
【００６８】
この構成でも、育苗トレー２０のスリット２２に係止部１２Ａを差し込むことで、係止爪１３Ａがスリット２２の縁部と係合して、育苗ポット押さえバンド１０Ａが抜けることなく、強固に育苗トレー２０に固定され得る。
【００６９】
また、図９（ｂ）に変形例として育苗ポット押さえバンド１０Ｂを示す。係止部１２Ｂの形状は略Ｖ字形状でなくてもよく、角形のものとすることもできる。従って、実施形態３の構成とすることは、本発明の課題を解決することを妨げない。
【００７０】
なお、本発明は上述した実施形態に限定されるものではなく、本発明の技術的範囲に属する限りにおいて種々の態様で実施しうるものである。
【産業上の利用可能性】
【００７１】
本発明の育苗ポット押さえバンド、育苗トレー、及び、押さえバンド付き育苗トレーは、複数の育苗ポットを収容して運搬等するときに、育苗トレーに育苗ポットを安定して収容することが要請される産業分野に用いることができる。
【符号の説明】
【００７２】
１０    育苗ポット押さえバンド
１１    押さえ部
１２    係止部
１３    係止爪
１４    幅狭部    
１５    フラップ部
１５ａ  自由端
１５ｂ  固定端
１６    先端部
２０    育苗トレー
２１    外枠
２２    スリット
３０    育苗ポット
１００  押さえバンド付き育苗トレー
【図１】
2012016287.tif 000003
【図２】
2012016287.tif 000004
【図３】
2012016287.tif 000005
【図４】
2012016287.tif 000006
【図５】
2012016287.tif 000007
【図６】
2012016287.tif 000008
【図７】
2012016287.tif 000009
【図８】
2012016287.tif 000010
【図９】
2012016287.tif 000011